(57)【要約】【課題】  本発明は、斜面体の構造を持った収納箱を２個設け、さらに棚と引き出しを設け、底面の四隅に車を設け、本体を車で移動させることを可能とした多機能を併せ持ったトイレットペーパー収納器を提供する。【解決手段】  上部に三角形の山形に相当する二辺の部分に斜面体の構造を持ったトイレットペーパーの収納箱（１）、トイレットペーパーの収納箱（２）を２個設け、そのトイレットペーパーの収納箱（１）、トイレットペーパーの収納箱（２）の中央の空間の部分に棚（３）を設け、さらにトイレットペーパーの収納箱（１）、トイレットペーパーの収納箱（２）と棚（３）の下に引き出し（４）を設けて、底面の四隅に車（５）を設け、本体を車（５）で移動させることを可能としたことを特徴とする多機能を併せ持ったトイレットペーパーの収納器。【選択図】図１
2011062493.tif 000002
【特許請求の範囲】
【請求項１】
上部に三角形の山形に相当する二辺の部分に斜面体の構造を持ったトイレットペーパーの収納箱（１）、トイレットペーパーの収納箱（２）を２個設け、その収納箱の中央の空間の部分に棚を設け、本体を車で移動させることを可能としたことを特徴とする多機能を併せ持ったトイレットペーパーの収納器。
【発明の詳細な説明】
【技術分野】
【０００１】  本発明は、上部に三角形の山形に相当する二辺の部分に斜面体の構造を持ったトイレットペーパーを複数個収納することを可能とし、かつ、収納箱の斜面を利用してトイレットペーパーの収納箱を２個設け、なおかつ、本体を車で移動させることが可能な多機能を併せ持った多機能型トイレットペーパー収納器に関するものである。
【背景技術】
【０００２】  従来、トイレットペーパーの収納には、トイレットペーパーホルダーやトイレラック、トイレットペーパーストッカーなどがある。
いずれも、トイレットペーパーをたて形に収納する構造のものが一般的で、トイレットペーパーの収納と取り出しの機能がついていた。
【発明の概要】
【発明が解決しようとする課題】
【０００３】  そのために、次のような問題点がある。
（イ）トイレットペーパーの収納箱をたて形の構造をしたもののみに使用しているのでト    イレットペーパーの収納と取り出しの機能しか持たすことができない。
（ロ）自宅や事務所のトイレの中に本人が入って用をたす場合、用をたす時間を利用して    、新聞や雑誌、本などを読む時間に充当することが可能であるにもかかわらず、トイ    レットペーパーの収納箱が、従来から存在するたて形の構造をしただけのものである    と、多機能を持たすことができず、時間のロスや知識の獲得にとってマイナスとなる    。
（ハ）時は金なり、のことわざにもある通り、トイレの中に入ってさえも勉強をしていた    い、という人にとっては、トイレ内の時間を効率よく利用することができず、時間が    もったいない。
本発明は、以上のような欠点をなくして、人生を有意義に送ることができるようにするためになされたものである。
【課題を解決するための手段】
【０００４】  本発明は、上部に三角形の山形に相当する二辺の部分に斜面体の構造を持ったトイレットペーパーの収納箱（１）、トイレットペーパーの収納箱（２）を設ける。
そのトイレットペーパーの収納箱（１）、トイレットペーパーの収納箱（２）の中央の空間の部分に棚（３）を設ける。
さらにトイレットペーパーの収納箱（１）、トイレットペーパーの収納箱（２）と棚（３）の下に引き出し（４）を設ける。
本体の底面の四隅に移動をさせることが可能な車（５）を４個取り付ける。
以上のように構成された多機能型トイレットペーパーの収納器である。
【発明の効果】
【０００５】（イ）トイレットペーパーを収納することができる収納箱が斜めに傾斜した斜面体の構造    を持っているので、トイレットペーパーを収納し、そしてトイレットペーパーを取り    出すときには、収納箱にトイレットペーパーが斜め方向に収納されるので、収納箱の    高い位置から低い位置へと重力によってトイレットペーパーが自然にころがり落ちて    くる自然の力を利用して手軽にトイレットペーパーを取り出すことができる。
（ロ）トイレットペーパーを収納することができる収納箱を三角形の山形に相当する二辺    の部分に斜面体の構造を持ったトイレットペーパーの収納箱を２個設けることによっ    て、その収納箱の中央の部分には、物品を収納、保管することが可能な適当な大きさ    をした空間ができるので、その空間を活用して新聞や雑誌、本、人形、縁起物、飾り    物などが収納できる棚を設けることができる。
（ハ）さらに、その本棚の下に、たとえば、女性用生理用品の収納などに使うことができ    る引き出しを設けることができる。
（ニ）上記（イ）、（ロ）、（ハ）を組み合わせた本体の底面の四隅に、移動をさせるこ    とが可能な車（キャスター）を４個取り付けると、トイレットペーパーの収納箱、本    棚、引き出し、本体を移動することが可能であるなどの多機能を持ったトイレットペ    ーパーの収納器が完成する。
従って、本発明品を利用すると、
（Ａ）トイレットペーパーを複数個収納することが可能となり、かつ必要時にはトイレッ    トペーパーを取り出すことができる。
（Ｂ）本発明には、本棚が設けられているので、トイレの中で用をたしながら、棚に置か    れている新聞や雑誌、本などをくつろぎながら読むことができる。
また、棚には、人形や縁起物、飾り物などを置くことができるのでそれらの物を棚    に置いて心の安らぎを求めることができる。
さらに、受験生や国家資格を取得したい人たちにとって、本発明がトイレの中に設    置されていると、トイレの中は誰にも邪魔されることがない静かな勉強部屋として活    用することができる。
また、時間を惜しんで勉強をしたい人たちにとっては、棚を利用して受験勉強の時    間を有意義に活用することができる。
（Ｃ）本発明には、引き出しが設けられているので、必要な物を引き出しに入れて保管す    ることができる。
（Ｄ）本発明には、本体の底面の四隅に４個の車（キャスター）を取り付けているのでト    イレの掃除をするときなど、掃除の邪魔にならないようにトイレの部屋から外へ出す    などの移動に使うことができる。
（Ｅ）本発明をトイレの部屋の中に設置することによって、上記（Ａ）、（Ｂ）、（Ｃ）    、（Ｄ）の効果を体験することができる。
【図面の簡単な説明】
【０００６】
【図１】  本発明の斜視図である。
【図２】  本発明のトイレットペーペーの収納箱（１）、トイレットペーペーの収納箱（２）のうち、トイレットペーパーの出し入れ口（１０）を開いたところの斜視図である。
【発明を実施するための形態】
【０００７】  以下、本発明の形態について説明する。
上部に三角形の山形に相当する二辺の部分に斜面体の構造を持ったトイレットペーパーの収納箱（１）、トイレットペーパーの収納箱（２）を２個設ける。
そのトイレットペーパーの収納箱（１）、トイレットペーパーの収納箱（２）の中央の空間の部分に棚（３）を設ける。
トイレットペーパーの収納箱（１）、トイレットペーパーの収納箱（２）と棚（３）の背面（６）は、通り抜けができない壁になってふさがっている。
このためトイレットペーパーの収納箱（１）、トイレットペーパーの収納箱（２）に収納されているトイレットペーパー（１１）が背面（６）より外へ落ちてしまうことはない。
また、棚（３）に新聞や雑誌、本や人形などを置いても、新聞などが背面（６）より外へ落ちてしまうことはなく、各々トイレットペーパーの収納箱（１）、トイレットペーパーの収納箱（２）と棚（３）にはトイレットペーパー（１１）と新聞などがきちんと納まる。
さらに、トイレットペーパーの収納箱（１）、トイレットペーパーの収納箱（２）と棚（３）の下に引き出し（４）を設ける。
本体の底面の四隅に移動をさせることが可能な車（５）を４個取り付ける。
また、斜面体の構造を持ったトイレットペーパーの収納箱（１）、トイレットペーパーの収納箱（２）にトイレットペーパー（１１）を出し入れするときには、トイレットペーパーを出し入れすることが可能な開閉することができる扉（８）を設ける。
その扉（８）には、つまみ（７）とちょうつがい（９）を取り付けているので、扉（８）を開くときには、つまみ（７）を指でつまんでトイレットペーパー（１１）を出し入れすることが可能な開閉することができる扉（８）を開くと、トイレットペーパー（１１）を出し入れすることができるトイレットペーパーの出し入れ口（１０）が表れるので、そのトイレットペーパーの出し入れ口（１０）にトイレットペーパー（１１）を出し入れすればよい。
その作業が終わって扉（８）を閉じるとトイレットペーパーの収納箱（１）、トイレットペーパーの収納箱（２）となる。
本発明は以上のような構造である。
【符号の説明】
【０００８】１  トイレットペーパーの収納箱
２  トイレットペーパーの収納箱
３  棚
４  引き出し
５  車（キャスター）
６  本体の背面
７  つまみ
８  扉
９  ちょうつがい
１０  トイレットペーパーの出し入れ口
１１  トイレットペーパー
【図１】
2011062493.tif 000003
【図２】
2011062493.tif 000004